(57)【要約】    【目的】風が吹いた場合におけるバルーンの傾斜を最小限に抑制し、バルーン本体および係留索が他のものの邪魔にならないようなバルーンを提供する。    【構成】固定物に係留するための係留索２と、前記係留索の一端に接続され、軽量気体を収納するためのバルーン本体１を備えたバルーンにおいて、翼形状のスタビライザー３を備えたことを特徴とする。特にスタビライザー３は、複数の袋状で、かつ翼形状のスタビライザー本体３２を複数並列に接続して構成され、更に前記スタビライザー本体の前面には前記スタビライザー本体内に空気を取り込むためのエアーインテーク３３が設けられている構造になっている。【選択図】  図１
2006327348.tif 000002
【特許請求の範囲】
【請求項１】
固定物に係留するための係留索と、前記係留索の一端に接続され、軽量気体を収納するためのバルーン本体を備えたバルーンにおいて、翼形状のスタビライザーを備えたことを特徴とするバルーン。
【請求項２】
前記スタビライザーは、その両翼端で前記バルーン本体の軸対象の両側面から伸長する固定ラインによって取り付けられていることを特徴とする請求項１記載のバルーン。
【請求項３】
前記スタビライザーは前記バルーン本体の頭頂部に取り付けられていることを特徴とする請求項１記載のバルーン。
【請求項４】
前記スタビライザーは前記バルーン本体の軸対象の両側面に取り付けられ、前記スタビライザーの両翼端から前記係留索に伸長する安定ラインを備えていることを特徴とする請求項１記載のバルーン。
【請求項５】
前記スタビライザーは、複数の袋状で、かつ翼形状のスタビライザー本体を複数並列に接続して構成され、更に前記スタビライザー本体の前面には前記スタビライザー本体内に空気を取り込むためのエアーインテークが設けられていることを特徴とする請求項１から４記載のいずれかのバルーン。
【発明の詳細な説明】
【技術分野】
【０００１】
本発明はバルーン、特に地面、屋上などの固定物に係留索によって固定される構造のバルーンに関する。
【背景技術】
【０００２】
図５に示すように、地面、建築物の屋上などの固定物Ｆに係留索によって係留されるバルーンは、たとえばアドバルーンなどとして知られている。また、バルーン直下の物、たとえば救命ボートの所在を標示する目標などとしても使用されている。
【０００３】
このような構造のバルーンは、ヘリウムなどの軽量気体を収納するバルーン本体１とこのバルーン本体１を係留する係留索２を備えている。このようなバルーンは、風が吹くと、当然のことながら、風の吹く方向に沿って傾斜することになる。建築物の屋上など、係留する固定物が、ある程度の高さを備えている場合には、前述のようにバルーンが傾斜しても、バルーン本体１が邪魔になったり、係留索２が何かに絡まったりする恐れは少なく、有効に使用することができる。しかしながら、固定物Ｆに十分な高さがない場合には、前記バルーン本体１が何かに干渉したり、係留索２が絡まったりする恐れがある。
【発明の開示】
【発明が解決しようとする課題】
【０００４】
本発明は上述の課題を解決することを目的とする。すなわち、風が吹いた場合におけるバルーンの傾斜を最小限に抑制し、バルーン本体１および係留索２が他のものの邪魔にならないようなバルーンを提供することを目的とする。
【課題を解決するための手段】
【０００５】
上記課題を解決するため、本発明によるバルーンは、固定物に係留するための係留索と、前記係留索の一端に接続され、軽量気体を収納するためのバルーン本体を備えたバルーンにおいて、翼形状のスタビライザーを備えたことを特徴とする。
【発明の効果】
【０００６】
本発明のバルーンによれば、翼形状のスタビライザーを備えているため、前記翼形状のスタビライザーが揚力を得て、上方へ押し上げ、また風の吹く方向に進もうとする力が働くため、バルーンの傾斜を修正するように作用することになる。このためバルーンの傾斜は大きくならず、バルーンが他のものの邪魔になることがないという利点がある。
【発明を実施するための最良の形態】
【０００７】
前述のように本発明によるバルーンは、固定物に係留するための係留索と、前記係留索の一端に接続され、軽量気体を収納するためのバルーン本体を備えたバルーンにおいて、翼形状のスタビライザーを備えたことを特徴とする。
【０００８】
本発明の好ましい形態において、前記スタビライザーは、その両翼端で前記バルーン本体の軸対象の両側面から伸長する固定ラインによって取り付けられていることを特徴とする。
【０００９】
本発明による他の好ましい形態では、前記スタビライザーは前記バルーン本体の頭頂部に取り付けられていることを特徴とする。
【００１０】
更に本発明の他の好ましい形態では、前記スタビライザーは前記バルーン本体の軸対象の両側面に取り付けられ、前記スタビライザーの両翼端から前記係留索に伸長する安定ラインを備えていることを特徴とする。
【００１１】
上述のような形態において、本発明による好ましい前記スタビライザーは、複数の袋状で、かつ翼形状のスタビライザー本体を複数並列に接続して構成され、更に前記スタビライザー本体の前面には前記スタビライザー本体内に空気を取り込むためのエアーインテークが設けられていることを特徴とする。
【実施例】
【００１２】
図１（ａ）、（ｂ）は本発明によるバルーンの一実施例を示す側面図および正面図であるが、これらの図より明らかなように、本発明によるバルーンは、軽量気体を収納し、浮遊するためのバルーン本体１とこのバルーン本体を固定物Ｆに係留するための係留索２を備えている。そして、本発明においては、前面が膨らんで後部が、基本的に尖った断面形状の、翼形状のスタビライザー３を備えている。
【００１３】
この実施例においては、前記スタビライザー３はバルーン本体１の側面に長さを調節可能に取り付けられた固定ライン４によって取り付けられている。この固定ライン４はこの実施例においては、バルーン本体１の軸対象の両側面より、それぞれ２本の固定ライン４がスタビライザーの翼端３１に接続する構造になっている（固定ラインは合計４本）。
【００１４】
前記スタビライザー３は、図１（ｂ）に示すように断面翼状の袋状のスタビライザー本体３２を複数並列に接続した形状となっており、前記スタビライザー本体３２の前端部にはこのスタビライザー本体３２内に空気を取り入れるための開口であるエアインテーク３３が形成された構造になっている。このような構造はパラグライダーのキャノピー構造と同様である。
【００１５】
図２（ａ）、（ｂ）は、本発明の他の実施例を示す側面図および正面図であるが、この実施例においては、翼状のスタビライザー３はバルーン本体１の頭頂部に取り付けられている。このスタビライザー構造も、前述の第１の実施例と同様のものを使用できる。
【００１６】
図３（ａ）、（ｂ）は、本発明の他の実施例を示す側面図および正面図であるが、この実施例においては、スタビライザー３は、バルーン本体１の側面に軸対象に２つ設けられており、前記スタビライザー３の翼端３１と係留索２を接続する、前記スタビライザー３を安定させるための安定ライン５が設けられた構造になっている。このスタビライザー構造も、前述の第１の実施例と同様に、パラグライダーのキャノピー構造と同様のものを使用することができる。
【００１７】
上述の実施例においては、スタビライザー構造として、パラグライダーのキャノピー構造と同様のものを使用したが、翼形状の袋状体に軽量気体、たとえばヘリウムを充填させた構造のものであっても良いことは明らかである。
【００１８】
このようなスタビライザーの作用を、第１の実施例を例として、図４により説明すると、固定物Ｆの係留索２によって係留されたバルーン本体１は、風がない場合には垂直方向に浮遊している。このときスタビライザー３は強度の高い繊維の布で製造されているため、しぼんだまま垂れ下がることになる。
【００１９】
風が吹いてきた場合には、前記スタビライザー本体３２のエアーインテーク３３より風が吹き込むことになるので、スタビライザー３は翼形状に膨らむことになり、揚力を発生する。バルーン本体１およびスタビライザー３の揚力と抗力のベクトル方向にそれぞれの力が作用することになり、かつ翼状のスタビライザー３は風の吹く方向に進行する作用があるため、スタビライザー３のベクトルは前記バルーン本体１を風の吹く方向に立ち上がる様な方向に働くことになる。したがって、バルーンの傾斜は抑制されることになる。
【００２０】
第１の実施例においては、スタビライザーの寸法等を変化させることなく、固定ラインの長さによって前記の傾斜角の是正力を調整可能であり、極めて好ましい実施態様である。
【産業上の利用可能性】
【００２１】
本発明のバルーンによれば、翼形状のスタビライザーを備えているため、前記翼形状のスタビライザーが揚力を得て、上方へ押し上げ、また風の吹く方向に進もうとする力が働くため、バルーンの傾斜を修正するように作用することになる。このためバルーンの傾斜は大きくならず、バルーンが他のものの邪魔になることがないという利点がある。
【図面の簡単な説明】
【００２２】
【図１】本発明の一実施例の側面図および正面図。
【図２】本発明の他の実施例の側面図および正面図。
【図３】本発明の第３の実施例の側面図および正面図。
【図４】本発明の作用を説明する説明図。
【図５】従来のバルーンの説明図。
【符号の説明】
【００２３】
１      バルーン本体
２      係留索
３      スタビライザー
３１    翼端
３２    スタビライザー本体
３３    エアーインテーク
４      固定ライン
５      安定ライン
【図１】
2006327348.tif 000003
【図２】
2006327348.tif 000004
【図３】
2006327348.tif 000005
【図４】
2006327348.tif 000006
【図５】
2006327348.tif 000007